【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
ハロゲン化物イオンと少なくとも１つの酸化剤とを含む酸性溶液中において、少なくとも１つの卑金属硫化物を含む材料から少なくとも１つの卑金属イオンを抽出するための、チオカルボニル官能基を有する試薬の使用。
【請求項２】
ハロゲン化物イオンを含む酸性溶液中において、少なくとも１つの卑金属硫化物を含む材料から少なくとも１つの卑金属イオンを抽出するための、チオカルボニル官能基を有する試薬の使用であって、
前記試薬がチオ尿素ではない、使用。
【請求項３】
前記酸性溶液が少なくとも１つの酸化剤をさらに含む、請求項２に記載の使用。
【請求項４】
前記試薬が、Ｎ−Ｎ’置換チオ尿素、２，５−ジチオビ尿素、ジチオビウレット、チオセミカルバジドプラム、チオセミカルバジド、チオアセトアミド、２−メチル−３−チオセミカルバジド、４−メチル−３−チオセミカルバジド、トリチオ炭酸ビニレンプラム、トリチオ炭酸ビニレン、２−シアノチオアセトアミド、トリチオ炭酸エチレン、エチルキサントゲン酸カリウム、ジメチルチオカルバモイルクロリド、ジメチルジチオカルバミン酸塩、ジメチルトリチオ炭酸塩、Ｎ，Ｎ’−ジメチルチオホルムアミド、４，４−ジメチル−３−チオセミカルバジド、４−エチル−３−チオセミカルバジド、Ｏ−イソプロピルキサンチン酸、チオオキサム酸エチル、ジチオ酢酸エチル、ピラジン−２−チオカルボキサミド、ジエチルチオカルバモイルクロリド、ジエチルジチオカルバメート、テトラメチルチウラムモノスルフィド、テトラメチルチウラムジスルフィド、クロロチオノぎ酸ペンタフルオロフェニル、クロロチオノぎ酸４−フルオロフェニル、クロロチオノぎ酸Ｏ−フェニル、クロロジチオノぎ酸フェニル、３，４−ジフルオロチオベンズアミド、２−ブロモチオベンズアミド、３−ブロモチオベンズアミド、４−ブロモチオベンズアミド、４−クロロチオベンズアミド、４−フルオロチオベンズアミド、チオ安息香酸、チオベンズアミド、４−フェニルチオセミカルバジド、Ｏ−（ｐ−トリル）クロロチオノぎ酸、４−ブロモ−２−メチルチオベンズアミド、３−メトキシチオベンズアミド、４−メトキシチオベンズアミド、４−メチルベンゼンチオアミド、チオアセトアニリド、サリチルアルデヒドチオセミカルバゾン、インドール−３−チオカルボキサミド、Ｓ−（チオベンゾイル）チオグリコール酸、３−（アセトキシ）チオベンズアミド、４−（アセトキシ）チオベンズアミド、Ｎ’−［（ｅ）−（４−クロロフェニル）メチリデン］ヒドラゾノチオカルバミン酸メチル、３−エトキシチオベンズアミド、４−エチルベンゼン−１−チオカルボキサミド、３−［（メチルスルフォニル）オキシ］−１−アゼタンカルボン酸ｔｅｒｔ−ブチル、ジエチルジチオカルバミン酸、２−（フェニルカルボノチオイルチオ）プロパン酸、２−ヒドロキシベンズアルデヒド Ｎ−エチルチオセミカルバゾン、（１Ｒ，４Ｒ）−１，７，７−トリメチルビシクロ［２．２．１］ヘプタン−２−チオン、テトラエチルチウラムジスルフィド、４’−ヒドロキシビフェニル−４−チオカルボキサミド、４−ビフェニルチオアミド、ジチゾン、４’−メチルビフェニル−４−チオカルボキサミド、テトライソプロピルチウラムジスルフィド、アントラセン−９−チオカルボキサミド、フェナントレン−９−チオカルボキサミド、ジベンジルジチオカルバミン酸ナトリウム、もしくは４，４’−ビス（ジメチルアミノ）チオベンゾフェノン、またはこれらの組み合わせである、請求項１、２または３に記載の使用。
【請求項５】
ハロゲン化物イオンと少なくとも１つの酸化剤とを含む酸性溶液中において、少なくとも１つの卑金属硫化物を含む材料から少なくとも１つの卑金属イオンを抽出するための試薬の使用であって、
前記試薬がチオ尿素（Ｔｕ）である、使用。
【請求項６】
ハロゲン化物イオンを含む酸性溶液中において、少なくとも１つの卑金属硫化物を含む材料から少なくとも１つの卑金属イオンを抽出するための試薬の使用であって、
前記試薬がチオアセトアミド（ＴＡ）である、使用。
【請求項７】
ハロゲン化物イオンを含む酸性溶液中において、少なくとも１つの卑金属硫化物を含む材料から少なくとも１つの卑金属イオンを抽出するための試薬の使用であって、
前記試薬がジメチルジチオカルバミン酸ナトリウム（ＳＤＤＣ）である、使用。
【請求項８】
ハロゲン化物イオンを含む酸性溶液中において、少なくとも１つの卑金属硫化物を含む材料から少なくとも１つの卑金属イオンを抽出するための試薬の使用であって、
前記試薬がトリチオ炭酸エチレン（ＥＴＣ）である、使用。
【請求項９】
ハロゲン化物イオンを含む酸性溶液中において、少なくとも１つの卑金属硫化物を含む材料から少なくとも１つの卑金属イオンを抽出するための試薬の使用であって、
前記試薬がチオセミカルバジド（ＴＳＣＡ）である、使用。
【請求項１０】
ハロゲン化物イオンを含む酸性溶液中において、少なくとも１つの卑金属硫化物を含む材料から少なくとも１つの卑金属イオンを抽出するための試薬の使用であって、
前記試薬がエチレンチオ尿素（ＥＴｕ）である、使用。
【請求項１１】
前記酸性溶液が少なくとも１つの酸化剤をさらに含む、請求項７〜１０のいずれか一項に記載の使用。
【請求項１２】
前記少なくとも１つの酸化剤が第二鉄イオンの供給源を含む、請求項１、３、５、６および１１のいずれか一項に記載の使用。
【請求項１３】
前記第二鉄イオンの供給源が硫酸第二鉄を含む、請求項１２に記載の使用。
【請求項１４】
前記酸性溶液中の前記試薬の濃度が約０．００２ｍＭ〜約１００ｍＭの範囲にある、請求項１〜１３のいずれか一項に記載の使用。
【請求項１５】
前記酸性溶液中の前記試薬の濃度が約０．００２ｍＭ〜約３０ｍＭの範囲にある、請求項１〜１３のいずれか一項に記載の使用。
【請求項１６】
ハロゲン化物イオンを含む酸性溶液中において、少なくとも１つの卑金属硫化物を含む材料から少なくとも１つの卑金属イオンを抽出するための試薬の使用であって、
前記試薬がホルムアミジンジスルフィド（ＦＤＳ）である、使用。
【請求項１７】
前記酸性溶液中のＦＤＳの濃度が約０．１ｍＭ〜約５０ｍＭの範囲にある、請求項１６に記載の使用。
【請求項１８】
前記酸性溶液中のＦＤＳの濃度が約０．１ｍＭ〜約１５ｍＭの範囲にある、請求項１６に記載の使用。
【請求項１９】
前記酸性溶液が少なくとも１つの酸化剤をさらに含む、請求項１６、１７または１８に記載の使用。
【請求項２０】
前記少なくとも１つの酸化剤が第二鉄イオンの供給源を含む、請求項１９に記載の使用。
【請求項２１】
前記第二鉄イオンの供給源が硫酸第二鉄を含む、請求項１９または２０に記載の使用。
【請求項２２】
前記少なくとも１つの卑金属イオンは銅を含み、前記少なくとも１つの卑金属硫化物は少なくとも１つの銅硫化物を含む、請求項１〜２１のいずれか一項に記載の使用。
【請求項２３】
前記少なくとも１つの銅硫化物は、黄銅鉱、銅藍、斑銅鉱、硫砒銅鉱、式中ｘ：ｙ比が１と２の間である化学式ＣｕｘＳｙの硫化銅、またはこれらの任意の組み合わせを含む、請求項２２に記載の使用。
【請求項２４】
前記少なくとも１つの銅硫化物は、黄銅鉱を含む、請求項２２または２３に記載の使用。
【請求項２５】
前記少なくとも１つの銅硫化物は、硫砒銅鉱を含む、請求項２２または２３に記載の使用。
【請求項２６】
前記少なくとも１つの卑金属イオンは、カドミウムを含み、前記少なくとも１つの卑金属硫化物は、カドミウム硫化物を含む、請求項１〜２５のいずれか一項に記載の使用。
【請求項２７】
前記少なくとも１つの卑金属イオンは、ニッケルを含み、前記少なくとも１つの卑金属硫化物は、少なくとも１つのニッケル硫化物を含む、請求項１〜２６のいずれか一項に記載の使用。
【請求項２８】
前記材料は、鉱石、または前記少なくとも１つの卑金属硫化物の精鉱である、請求項１〜２７のいずれか一項に記載の使用。
【請求項２９】
前記酸性溶液のＡｇ／ＡｇＣｌに対して５００ｍＶを超える動作電位での、請求項１〜２８のいずれか一項に記載の使用。
【請求項３０】
前記ハロゲン化物イオンは、塩化物イオンを含む、請求項１〜２９のいずれか一項に記載の使用。
【請求項３１】
前記ハロゲン化物イオンは、臭化物イオンを含む、請求項１〜３０のいずれか一項に記載の使用。
【請求項３２】
前記ハロゲン化物イオンは、ヨウ化物イオンを含む、請求項１〜３１のいずれか一項に記載の使用。
【請求項３３】
前記酸性溶液中のハロゲン化物イオンの濃度が約１ｇ／Ｌ以上である、請求項１〜３１のいずれか一項に記載の使用。
【請求項３４】
前記試薬が前記少なくとも１つの卑金属イオンと錯体形成／沈澱しない、請求項１〜３３のいずれか一項に記載の使用。
【請求項３５】
少なくとも１つの卑金属硫化物を含む材料から少なくとも１つの卑金属イオンを回収する方法であって、以下を含む方法：
前記材料を、ハロゲン化物イオンと、少なくとも１つの酸化剤と、チオカルボニル官能基を有する試薬とを含む、酸性溶液と接触させて、卑金属イオンを含む貴液を生成する工程；および
前記貴液から前記少なくとも１つの卑金属イオンを回収する工程。
【請求項３６】
少なくとも１つの卑金属硫化物を含む材料から少なくとも１つの卑金属イオンを回収する方法であって、以下：
前記材料を、ハロゲン化物イオンと、チオカルボニル官能基を有する試薬とを含む、酸性溶液と接触させて、卑金属イオンを含む貴液を生成する工程；および
前記貴液から前記少なくとも１つの卑金属イオンを回収する工程、
を含み、
前記試薬がチオ尿素ではない、方法。
【請求項３７】
前記酸性溶液が少なくとも１つの酸化剤をさらに含む、請求項３６に記載の方法。
【請求項３８】
前記試薬が、Ｎ−Ｎ’置換チオ尿素、２，５−ジチオビ尿素、ジチオビウレット、チオセミカルバジドプラム、チオセミカルバジド、チオアセトアミド、２−メチル−３−チオセミカルバジド、４−メチル−３−チオセミカルバジド、トリチオ炭酸ビニレンプラム、トリチオ炭酸ビニレン、２−シアノチオアセトアミド、トリチオ炭酸エチレン、エチルキサントゲン酸カリウム、ジメチルチオカルバモイルクロリド、ジメチルジチオカルバミン酸塩、ジメチルトリチオ炭酸塩、Ｎ，Ｎ’−ジメチルチオホルムアミド、４，４−ジメチル−３−チオセミカルバジド、４−エチル−３−チオセミカルバジド、Ｏ−イソプロピルキサンチン酸、チオオキサム酸エチル、ジチオ酢酸エチル、ピラジン−２−チオカルボキサミド、ジエチルチオカルバモイルクロリド、ジエチルジチオカルバメート、テトラメチルチウラムモノスルフィド、テトラメチルチウラムジスルフィド、クロロチオノぎ酸ペンタフルオロフェニル、クロロチオノぎ酸４−フルオロフェニル、クロロチオノぎ酸Ｏ−フェニル、クロロジチオノぎ酸フェニル、３，４−ジフルオロチオベンズアミド、２−ブロモチオベンズアミド、３−ブロモチオベンズアミド、４−ブロモチオベンズアミド、４−クロロチオベンズアミド、４−フルオロチオベンズアミド、チオ安息香酸、チオベンズアミド、４−フェニルチオセミカルバジド、Ｏ−（ｐ−トリル）クロロチオノぎ酸、４−ブロモ−２−メチルチオベンズアミド、３−メトキシチオベンズアミド、４−メトキシチオベンズアミド、４−メチルベンゼンチオアミド、チオアセトアニリド、サリチルアルデヒドチオセミカルバゾン、インドール−３−チオカルボキサミド、Ｓ−（チオベンゾイル）チオグリコール酸、３−（アセトキシ）チオベンズアミド、４−（アセトキシ）チオベンズアミド、Ｎ’−［（ｅ）−（４−クロロフェニル）メチリデン］ヒドラゾノチオカルバミン酸メチル、３−エトキシチオベンズアミド、４−エチルベンゼン−１−チオカルボキサミド、３−［（メチルスルフォニル）オキシ］−１−アゼタンカルボン酸ｔｅｒｔ−ブチル、ジエチルジチオカルバミン酸、２−（フェニルカルボノチオイルチオ）プロパン酸、２−ヒドロキシベンズアルデヒド  Ｎ−エチルチオセミカルバゾン、（１Ｒ，４Ｒ）−１，７，７−トリメチルビシクロ［２．２．１］ヘプタン−２−チオン、テトラエチルチウラムジスルフィド、４’−ヒドロキシビフェニル−４−チオカルボキサミド、４−ビフェニルチオアミド、ジチゾン、４’−メチルビフェニル−４−チオカルボキサミド、テトライソプロピルチウラムジスルフィド、アントラセン−９−チオカルボキサミド、フェナントレン−９−チオカルボキサミド、ジベンジルジチオカルバミン酸ナトリウム、もしくは４，４’−ビス（ジメチルアミノ）チオベンゾフェノン、またはこれらの組み合わせである、請求項３５、３６または３７に記載の方法。
【請求項３９】
材料中の少なくとも１つの卑金属硫化物から少なくとも１つの卑金属イオンを回収する方法であって、以下：
前記材料を、ハロゲン化物イオンと、少なくとも１つの酸化剤と、チオカルボニル官能基を有する試薬とを含む、酸性溶液と接触させて、卑金属イオンを含む貴液を生成する工程；および
前記貴液から前記少なくとも１つの卑金属イオンを回収する工程、
を含み、
前記試薬がチオ尿素（Ｔｕ）である、方法。
【請求項４０】
材料中の少なくとも１つの卑金属硫化物から少なくとも１つの卑金属イオンを回収する方法であって、以下：
前記材料を、ハロゲン化物イオンと、チオカルボニル官能基を有する試薬とを含む、酸性溶液と接触させて、卑金属イオンを含む貴液を生成する工程；および
前記貴液から前記少なくとも１つの卑金属イオンを回収する工程、
を含み、
前記試薬がチオアセトアミド（ＴＡ）である、方法。
【請求項４１】
材料中の少なくとも１つの卑金属硫化物から少なくとも１つの卑金属イオンを回収する方法であって、以下：
前記材料を、ハロゲン化物イオンと、チオカルボニル官能基を有する試薬とを含む、酸性溶液と接触させて、卑金属イオンを含む貴液を生成する工程；および
前記貴液から前記少なくとも１つの卑金属イオンを回収する工程、
を含み、
前記試薬がジメチルジチオカルバミン酸ナトリウム（ＳＤＤＣ）である、方法。
【請求項４２】
材料中の少なくとも１つの卑金属硫化物から少なくとも１つの卑金属イオンを回収する方法であって、以下：
前記材料を、ハロゲン化物イオンと、チオカルボニル官能基を有する試薬とを含む、酸性溶液と接触させて、卑金属イオンを含む貴液を生成する工程；および
前記貴液から前記少なくとも１つの卑金属イオンを回収する工程、
を含み、
前記試薬がトリチオ炭酸エチレン（ＥＴＣ）である、方法。
【請求項４３】
材料中の少なくとも１つの卑金属硫化物から少なくとも１つの卑金属イオンを回収する方法であって、以下：
前記材料を、ハロゲン化物イオンと、チオカルボニル官能基を有する試薬とを含む、酸性溶液と接触させて、卑金属イオンを含む貴液を生成する工程；および
前記貴液から前記少なくとも１つの卑金属イオンを回収する工程、
を含み、
前記試薬がチオセミカルバジド（ＴＳＣＡ）である、方法。
【請求項４４】
材料中の少なくとも１つの卑金属硫化物から少なくとも１つの卑金属イオンを回収する方法であって、以下：
前記材料を、ハロゲン化物イオンと、チオカルボニル官能基を有する試薬とを含む、酸性溶液と接触させて、卑金属イオンを含む貴液を生成する工程；および
前記貴液から前記少なくとも１つの卑金属イオンを回収する工程、
を含み、
前記試薬がエチレンチオ尿素（ＥＴｕ）である、方法。
【請求項４５】
前記酸性溶液が少なくとも１つの酸化剤をさらに含む、請求項４０〜４４のいずれか一項に記載の方法。
【請求項４６】
前記少なくとも１つの酸化剤が第二鉄イオンの供給源を含む、請求項３５、３７、３９および４５のいずれか一項に記載の方法。
【請求項４７】
前記第二鉄イオンの供給源が硫酸第二鉄を含む、請求項４６に記載の方法。
【請求項４８】
前記酸性溶液中の前記試薬の濃度が約０．００２ｍＭ〜約１００ｍＭの範囲にある、請求項３５〜４７のいずれか一項に記載の方法。
【請求項４９】
前記酸性溶液中の前記試薬の濃度が約０．００２ｍＭ〜約３０ｍＭの範囲にある、請求項３５〜４８のいずれか一項に記載の方法。
【請求項５０】
材料中の少なくとも１つの卑金属硫化物から少なくとも１つの卑金属イオンを回収する方法であって、以下を含む方法：
前記材料を、ハロゲン化物イオンと、試薬とを含む、酸性溶液と接触させて、卑金属イオンを含む貴液を生成する工程であって、前記試薬がホルムアミジンジスルフィド（ＦＤＳ）である、工程；および
前記貴液から前記少なくとも１つの卑金属イオンを回収する工程。
【請求項５１】
前記酸性溶液中のＦＤＳの濃度が約０．１ｍＭ〜約５０ｍＭの範囲にある、請求項５０に記載の方法。
【請求項５２】
前記酸性溶液中のＦＤＳの濃度が約０．１ｍＭ〜約１５ｍＭの範囲にある、請求項５０に記載の方法。
【請求項５３】
前記酸性溶液中のＦＤＳの濃度は、前記卑金属イオンを含む貴液を生成するために、前記試薬を含まない酸性溶液に比べて高い金属イオン抽出率を得るのに十分なチオ尿素を提供するのに十分な濃度である、請求項５０、５１または５２に記載の方法。
【請求項５４】
前記酸性溶液が少なくとも１つの酸化剤をさらに含む、請求項５０〜５３のいずれか一項に記載の方法。
【請求項５５】
前記少なくとも１つの酸化剤が第二鉄イオンの供給源を含む、請求項５４に記載の方法。
【請求項５６】
前記第二鉄イオンの供給源が硫酸第二鉄を含む、請求項５５に記載の方法。
【請求項５７】
前記酸性溶液が硫酸第一鉄溶液を含む、請求項３５〜５６のいずれか一項に記載の方法。
【請求項５８】
前記少なくとも１つの卑金属イオンは銅イオンを含み、前記少なくとも１つの卑金属硫化物は少なくとも１つの銅硫化物を含む、請求項３５〜５７のいずれか一項に記載の方法。
【請求項５９】
前記少なくとも１つの銅硫化物は、黄銅鉱、銅藍、斑銅鉱、硫砒銅鉱、式中ｘ：ｙ比が１と２の間である化学式ＣｕｘＳｙの硫化銅（ここで、前記硫化銅は、輝銅鉱、デュルレ鉱、またはダイジェナイトを含む）、またはこれらの任意の組み合わせである、請求項５８に記載の方法。
【請求項６０】
前記少なくとも１つの銅硫化物は、黄銅鉱を含む、請求項５８または５９に記載の方法。
【請求項６１】
前記少なくとも１つの銅硫化物は、硫砒銅鉱を含む、請求項５８、５９または６０に記載の方法。
【請求項６２】
前記少なくとも１つの卑金属イオンは、カドミウムイオンを含み、前記少なくとも１つの卑金属硫化物は、カドミウム硫化物を含む、請求項３５〜６４のいずれか一項に記載の方法。
【請求項６３】
前記少なくとも１つの卑金属イオンは、ニッケルイオンを含み、前記少なくとも１つの卑金属硫化物は、少なくとも１つのニッケル硫化物を含む、請求項３５〜６５のいずれか一項に記載の方法。
【請求項６４】
前記材料は、鉱石である、請求項３５〜６６のいずれか一項に記載の方法。
【請求項６５】
前記材料は、前記少なくとも１つの卑金属硫化物の精鉱である、請求項３５〜６６のいずれか一項に記載の方法。
【請求項６６】
前記方法が、浸出である、請求項３５〜６５のいずれか一項に記載の方法。
【請求項６７】
前記酸性溶液のＡｇ／ＡｇＣｌに対して５００ｍＶを超える動作電位で維持することを含む、請求項３５〜６６のいずれか一項に記載の方法。
【請求項６８】
前記ハロゲン化物イオンは、塩化物イオンを含む、請求項３５〜６７のいずれか一項に記載の方法。
【請求項６９】
前記塩化物イオンの濃度が約２００ｇ／Ｌ以下である、請求項６８に記載の方法。
【請求項７０】
前記ハロゲン化物イオンは、臭化物イオンを含む、請求項３５〜６９のいずれか一項に記載の方法。
【請求項７１】
前記ハロゲン化物イオンは、ヨウ化物イオンを含む、請求項３５〜７０のいずれか一項に記載の方法。
【請求項７２】
前記酸性溶液中のハロゲン化物イオンの濃度が約１ｇ／Ｌ以上である、請求項３５〜７０のいずれか一項に記載の方法。
【請求項７３】
前記方法が、０℃〜８０℃の温度で行われる、請求項３５〜７２のいずれか一項に記載の方法。
【請求項７４】
前記試薬が前記少なくとも１つの卑金属イオンと錯体形成／沈澱しない、請求項３５〜７３のいずれか一項に記載の方法。
【請求項７５】
前記貴溶液からの前記少なくとも１つの卑金属イオンの回収は、溶媒抽出および電解採取を含む、請求項３５〜７４のいずれか一項に記載の方法。
【請求項７６】
以下を含む方法：
硫酸第二鉄、卑金属イオン、およびチオカルボニル官能基を有する試薬を含む酸性水性貴液であって、前記試薬の一部は、前記卑金属イオンと錯体を形成している、酸性水性貴液と、卑金属イオン抽出剤を含む有機溶媒とを混合して、混合物を形成する工程；
前記貴液から前記卑金属イオンを前記有機溶媒中に抽出する工程；および
前記混合物を、前記試薬を含む卑金属イオン減損ラフィネートと、前記有機溶媒と卑金属イオンとを含み、卑金属イオンが豊富な有機相とに分離する工程。
【請求項７７】
硫酸第二鉄、卑金属イオン、およびチオカルボニル官能基を有する試薬を含む酸性水性貴液であって、前記試薬の一部は、前記卑金属イオンと錯体を形成している、酸性水性貴液と、卑金属イオン抽出剤を含む有機溶媒とを混合して、混合物を形成する工程；
前記貴液から前記卑金属イオンを前記有機溶媒中に抽出する工程；および
前記混合物を、前記試薬を含む卑金属イオン減損ラフィネートと、前記有機溶媒と卑金属イオンとを含み、卑金属イオンが豊富な有機相とに分離する工程、
を含み、
前記試薬が、チオ尿素（Ｔｕ）、エチレンチオ尿素（ＥＴｕ）、チオアセトアミド（ＴＡ）、ジメチルジチオカルバミン酸ナトリウム（ＳＤＤＣ）、トリチオ炭酸エチレン（ＥＴＣ）、チオセミカルバジド（ＴＳＣＡ）、または、これらの組み合わせである、方法。
【請求項７８】
硫酸第二鉄、卑金属イオン、およびチオカルボニル官能基を有する試薬を含む酸性水性貴液であって、前記試薬の一部は、前記卑金属イオンと錯体を形成している、酸性水性貴液と、卑金属イオン抽出剤を含む有機溶媒とを混合して、混合物を形成する工程；
前記貴液から前記卑金属イオンを前記有機溶媒中に抽出する工程；および
前記混合物を、前記試薬を含む卑金属イオン減損ラフィネートと、前記有機溶媒と卑金属イオンとを含み、卑金属イオンが豊富な有機相とに分離する工程、
を含み、
前記試薬が、チオ尿素（Ｔｕ）である、方法。
【請求項７９】
硫酸第二鉄、卑金属イオン、およびチオカルボニル官能基を有する試薬を含む酸性水性貴液であって、前記試薬の一部は、前記卑金属イオンと錯体を形成している、酸性水性貴液と、卑金属イオン抽出剤を含む有機溶媒とを混合して、混合物を形成する工程；
前記貴液から前記卑金属イオンを前記有機溶媒中に抽出する工程；および
前記混合物を、前記試薬を含む卑金属イオン減損ラフィネートと、前記有機溶媒と卑金属イオンとを含み、卑金属イオンが豊富な有機相とに分離する工程、
を含み、
前記試薬が、エチレンチオ尿素（ＥＴｕ）である、方法。
【請求項８０】
硫酸第二鉄、卑金属イオン、およびチオカルボニル官能基を有する試薬を含む酸性水性貴液であって、前記試薬の一部は、前記卑金属イオンと錯体を形成している、酸性水性貴液と、卑金属イオン抽出剤を含む有機溶媒とを混合して、混合物を形成する工程；
前記貴液から前記卑金属イオンを前記有機溶媒中に抽出する工程；および
前記混合物を、前記試薬を含む卑金属イオン減損ラフィネートと、前記有機溶媒と卑金属イオンとを含み、卑金属イオンが豊富な有機相とに分離する工程、
を含み、
前記試薬が、チオアセトアミド（ＴＡ）である、方法。
【請求項８１】
硫酸第二鉄、卑金属イオン、およびチオカルボニル官能基を有する試薬を含む酸性水性貴液であって、前記試薬の一部は、前記卑金属イオンと錯体を形成している、酸性水性貴液と、卑金属イオン抽出剤を含む有機溶媒とを混合して、混合物を形成する工程；
前記貴液から前記卑金属イオンを前記有機溶媒中に抽出する工程；および
前記混合物を、前記試薬を含む卑金属イオン減損ラフィネートと、前記有機溶媒と卑金属イオンとを含み、卑金属イオンが豊富な有機相とに分離する工程、
を含み、
前記試薬が、ジメチルジチオカルバミン酸ナトリウム（ＳＤＤＣ）である、方法。
【請求項８２】
硫酸第二鉄、卑金属イオン、およびチオカルボニル官能基を有する試薬を含む酸性水性貴液であって、前記試薬の一部は、前記卑金属イオンと錯体を形成している、酸性水性貴液と、卑金属イオン抽出剤を含む有機溶媒とを混合して、混合物を形成する工程；
前記貴液から前記卑金属イオンを前記有機溶媒中に抽出する工程；および
前記混合物を、前記試薬を含む卑金属イオン減損ラフィネートと、前記有機溶媒と卑金属イオンとを含み、卑金属イオンが豊富な有機相とに分離する工程、
を含み、
前記試薬が、トリチオ炭酸エチレン（ＥＴＣ）である、方法。
【請求項８３】
硫酸第二鉄、卑金属イオン、およびチオカルボニル官能基を有する試薬を含む酸性水性貴液であって、前記試薬の一部は、前記卑金属イオンと錯体を形成している、酸性水性貴液と、卑金属イオン抽出剤を含む有機溶媒とを混合して、混合物を形成する工程；
前記貴液から前記卑金属イオンを前記有機溶媒中に抽出する工程；および
前記混合物を、前記試薬を含む卑金属イオン減損ラフィネートと、前記有機溶媒と卑金属イオンとを含み、卑金属イオンが豊富な有機相とに分離する工程、
を含み、
前記試薬が、チオセミカルバジド（ＴＳＣＡ）である、方法。
【請求項８４】
以下を含む方法：
硫酸第二鉄、卑金属イオン、およびチオカルボニル官能基を有する試薬を含む酸性水性貴液であって、前記試薬が、チオ尿素であり、前記試薬の一部は、前記卑金属イオンと錯体を形成している、酸性水性貴液と、卑金属イオン抽出剤を含む有機溶媒とを混合して、混合物を形成する工程；
前記貴液から前記卑金属イオンを前記有機溶媒中に抽出する工程；および
前記混合物を、前記試薬およびホルムアミジンジスルフィド（ＦＤＳ）を含む卑金属イオン減損ラフィネートと、前記有機溶媒と卑金属イオンとを含み、卑金属イオンが豊富な有機相とに分離する工程。
【請求項８５】
前記方法は、前記ラフィネートを還元剤に接触させて、ＦＤＳをチオ尿素（Ｔｕ）に還元する工程をさらに含む、請求項８４に記載の方法。
【請求項８６】
前記ラフィネートを還元剤に接触させてＦＤＳをＴｕに還元する前記工程は、ＦＤＳを還元して約０．５：１〜約９：１の範囲のＴｕ：ＦＤＳ比を得ることを含む、請求項８５に記載の方法。
【請求項８７】
前記還元剤は、Ｈ２Ｓ、ＳＯ２、ＺｎまたはＮａＳＨである、請求項８５または８６に記載の方法。
【請求項８８】
前記酸性水性溶液から前記卑金属イオンを前記有機溶媒中に抽出する前記工程は、卑金属イオンから試薬を分離させて、前記酸性水性溶液と比べて、前記ラフィネート中の遊離試薬の量を増加させることを含む、請求項７６〜８７のいずれか一項に記載の方法。
【請求項８９】
前記有機溶媒は、脂肪族溶媒、芳香族溶媒、または、これらの組み合わせである、請求項７６〜８７のいずれか一項に記載の方法。
【請求項９０】
前記有機溶媒は、灯油、アルキル芳香族化合物、シクロパラフィン、または、これらの組み合わせを含む、請求項８９に記載の方法。
【請求項９１】
前記卑金属イオンは、カドミウムを含む、請求項７６〜９０のいずれか一項に記載の方法。
【請求項９２】
前記卑金属イオンは、ニッケルを含む、請求項７６〜９１のいずれか一項に記載の方法。
【請求項９３】
前記卑金属イオンは、銅を含む、請求項７６〜９２のいずれか一項に記載の方法。
【請求項９４】
前記卑金属イオン抽出剤は、アルドキシム、ケトキシム、またはこれらの組み合わせである、請求項１０３に記載の方法。
【請求項９５】
前記卑金属イオン抽出剤は、エステル改質剤、アルキルフェノール改質剤、または、これらの組み合わせをさらに含む、請求項１０４に記載の方法。
【請求項９６】
以下を含む方法：
硫酸第二鉄、卑金属イオン、およびホルムアミジンジスルフィド（ＦＤＳ）を含む水性貴液と、卑金属イオン抽出剤を含む有機溶媒とを混合して、混合物を形成する工程；
前記貴液から前記卑金属イオンを前記有機溶媒中に抽出する工程；および
前記混合物を、ＦＤＳを含む卑金属イオン減損ラフィネートと、前記有機溶媒と卑金属イオンとを含み、卑金属イオンが豊富な有機相とに分離する工程。
【請求項９７】
前記有機溶媒は、脂肪族溶媒、芳香族溶媒、または、これらの組み合わせである、請求項９６に記載の方法。
【請求項９８】
前記有機溶媒は、灯油、アルキル芳香族化合物、シクロパラフィン、または、これらの組み合わせを含む、請求項９７に記載の方法。
【請求項９９】
前記卑金属イオンは、カドミウムを含む、請求項９６、９７または９８に記載の方法。
【請求項１００】
前記卑金属イオンは、ニッケルを含む、請求項９６〜９９のいずれか一項に記載の方法。
【請求項１０１】
前記卑金属イオンは、銅を含む、請求項９６〜１００のいずれか一項に記載の方法。
【請求項１０２】
前記卑金属イオン抽出剤は、アルドキシム、ケトキシム、またはこれらの組み合わせである、請求項１０１に記載の方法。
【請求項１０３】
前記卑金属イオン抽出剤は、エステル改質剤、アルキルフェノール改質剤、または、これらの組み合わせをさらに含む、請求項１０２に記載の方法。
【請求項１０４】
前記貴液は、卑金属イオンとともに錯体を形成しているチオ尿素（Ｔｕ）をさらに含み、
前記貴液から前記卑金属イオンを抽出する前記工程は、卑金属イオンからＴｕを分離させて、前記貴液と比べて、前記ラフィネート中の遊離Ｔｕの量を増加させることを含む、請求項９６〜１０３のいずれか一項に記載の方法。
【請求項１０５】
少なくとも１つの卑金属を、少なくとも１つの卑金属硫化物を含む材料中の前記少なくとも１つの卑金属硫化物から回収する方法であって、以下を含む方法：
前記材料を、硫酸第二鉄とチオカルボニル官能基を有する試薬とを含む酸性硫酸塩溶液を含む、浸出剤と接触させて、前記少なくとも１つの卑金属硫化物から卑金属イオンを抽出して、貴液を生成する工程；
前記貴液と、卑金属イオン抽出剤を含む有機溶媒とを混合して、混合物を形成する工程；
前記貴液から卑金属イオンを前記有機溶媒中に抽出する工程；および
前記混合物を、前記試薬を含む卑金属イオン減損ラフィネートと、前記有機溶媒と卑金属イオンとを含み、卑金属イオンが豊富な有機相とに分離する工程。
【請求項１０６】
少なくとも１つの卑金属を、少なくとも１つの卑金属硫化物を含む材料中の前記少なくとも１つの卑金属硫化物から回収する方法であって、以下：
前記材料を、硫酸第二鉄とチオカルボニル官能基を有する試薬とを含む酸性硫酸塩溶液を含む、浸出剤と接触させて、前記少なくとも１つの卑金属硫化物から卑金属イオンを抽出して、貴液を生成する工程；
前記貴液と、卑金属イオン抽出剤を含む有機溶媒とを混合して、混合物を形成する工程；
前記貴液から卑金属イオンを前記有機溶媒中に抽出する工程；および
前記混合物を、前記試薬を含む卑金属イオン減損ラフィネートと、前記有機溶媒と卑金属イオンとを含み、卑金属イオンが豊富な有機相とに分離する工程、
を含み、
前記試薬が、エチレンチオ尿素（ＥＴｕ）である、方法。
【請求項１０７】
少なくとも１つの卑金属を、少なくとも１つの卑金属硫化物を含む材料中の前記少なくとも１つの卑金属硫化物から回収する方法であって、以下：
前記材料を、硫酸第二鉄とチオカルボニル官能基を有する試薬とを含む酸性硫酸塩溶液を含む、浸出剤と接触させて、前記少なくとも１つの卑金属硫化物から卑金属イオンを抽出して、貴液を生成する工程；
前記貴液と、卑金属イオン抽出剤を含む有機溶媒とを混合して、混合物を形成する工程；
前記貴液から卑金属イオンを前記有機溶媒中に抽出する工程；および
前記混合物を、前記試薬を含む卑金属イオン減損ラフィネートと、前記有機溶媒と卑金属イオンとを含み、卑金属イオンが豊富な有機相とに分離する工程、
を含み、
前記試薬が、チオアセトアミド（ＴＡ）である、方法。
【請求項１０８】
少なくとも１つの卑金属を、少なくとも１つの卑金属硫化物を含む材料中の前記少なくとも１つの卑金属硫化物から回収する方法であって、以下：
前記材料を、硫酸第二鉄とチオカルボニル官能基を有する試薬とを含む酸性硫酸塩溶液を含む、浸出剤と接触させて、前記少なくとも１つの卑金属硫化物から卑金属イオンを抽出して、貴液を生成する工程；
前記貴液と、卑金属イオン抽出剤を含む有機溶媒とを混合して、混合物を形成する工程；
前記貴液から卑金属イオンを前記有機溶媒中に抽出する工程；および
前記混合物を、前記試薬を含む卑金属イオン減損ラフィネートと、前記有機溶媒と卑金属イオンとを含み、卑金属イオンが豊富な有機相とに分離する工程、
を含み、
前記試薬が、ジメチルジチオカルバミン酸ナトリウム（ＳＤＤＣ）である、方法。
【請求項１０９】
少なくとも１つの卑金属を、少なくとも１つの卑金属硫化物を含む材料中の前記少なくとも１つの卑金属硫化物から回収する方法であって、以下：
前記材料を、硫酸第二鉄とチオカルボニル官能基を有する試薬とを含む酸性硫酸塩溶液を含む、浸出剤と接触させて、前記少なくとも１つの卑金属硫化物から卑金属イオンを抽出して、貴液を生成する工程；
前記貴液と、卑金属イオン抽出剤を含む有機溶媒とを混合して、混合物を形成する工程；
前記貴液から卑金属イオンを前記有機溶媒中に抽出する工程；および
前記混合物を、前記試薬を含む卑金属イオン減損ラフィネートと、前記有機溶媒と卑金属イオンとを含み、卑金属イオンが豊富な有機相とに分離する工程、
を含み、
前記試薬が、トリチオ炭酸エチレン（ＥＴＣ）である、方法。
【請求項１１０】
少なくとも１つの卑金属を、少なくとも１つの卑金属硫化物を含む材料中の前記少なくとも１つの卑金属硫化物から回収する方法であって、以下：
前記材料を、硫酸第二鉄とチオカルボニル官能基を有する試薬とを含む酸性硫酸塩溶液を含む、浸出剤と接触させて、前記少なくとも１つの卑金属硫化物から卑金属イオンを抽出して、貴液を生成する工程；
前記貴液と、卑金属イオン抽出剤を含む有機溶媒とを混合して、混合物を形成する工程；
前記貴液から卑金属イオンを前記有機溶媒中に抽出する工程；および
前記混合物を、前記試薬を含む卑金属イオン減損ラフィネートと、前記有機溶媒と卑金属イオンとを含み、卑金属イオンが豊富な有機相とに分離する工程、
を含み、
前記試薬が、チオセミカルバジド（ＴＳＣＡ）である、方法。
【請求項１１１】
少なくとも１つの卑金属を、少なくとも１つの卑金属硫化物を含む材料中の前記少なくとも１つの卑金属硫化物から回収する方法であって、以下：
前記材料を、硫酸第二鉄とチオカルボニル官能基を有する試薬とを含む酸性硫酸塩溶液を含む、浸出剤と接触させて、前記少なくとも１つの卑金属硫化物から卑金属イオンを抽出して、貴液を生成する工程；
前記貴液と、卑金属イオン抽出剤を含む有機溶媒とを混合して、混合物を形成する工程；
前記貴液から卑金属イオンを前記有機溶媒中に抽出する工程；および
前記混合物を、前記試薬を含む卑金属イオン減損ラフィネートと、前記有機溶媒と卑金属イオンとを含み、卑金属イオンが豊富な有機相とに分離する工程、
を含み、
前記試薬が、チオ尿素（Ｔｕ）、エチレンチオ尿素（ＥＴｕ）、チオアセトアミド（ＴＡ）、ジメチルジチオカルバミン酸ナトリウム（ＳＤＤＣ）、トリチオ炭酸エチレン（ＥＴＣ）、チオセミカルバジド（ＴＳＣＡ）、または、これらの組み合わせである、方法。
【請求項１１２】
少なくとも１つの卑金属を、少なくとも１つの卑金属硫化物を含む材料中の前記少なくとも１つの卑金属硫化物から回収する方法であって、以下：
前記材料を、硫酸第二鉄とチオカルボニル官能基を有する試薬とを含む酸性硫酸塩溶液を含む、浸出剤と接触させて、前記少なくとも１つの卑金属硫化物から卑金属イオンを抽出して、貴液を生成する工程；
前記貴液と、卑金属イオン抽出剤を含む有機溶媒とを混合して、混合物を形成する工程；
前記貴液から卑金属イオンを前記有機溶媒中に抽出する工程；および
前記混合物を、前記試薬を含む卑金属イオン減損ラフィネートと、前記有機溶媒と卑金属イオンとを含み、卑金属イオンが豊富な有機相とに分離する工程、
を含み、
前記試薬が、チオ尿素（Ｔｕ）である、方法。
【請求項１１３】
前記ラフィネートは、ホルムアミジンジスルフィド（ＦＤＳ）をさらに含む、請求項１１１または１１２に記載の方法。
【請求項１１４】
前記方法は、前記ラフィネートを還元剤に接触させて、ＦＤＳをＴｕに還元する工程をさらに含む、請求項１１３に記載の方法。
【請求項１１５】
前記ラフィネートを還元剤に接触させてＦＤＳをＴｕに還元する前記工程は、ＦＤＳを還元して約０．５：１〜約９：１の範囲のＴｕ：ＦＤＳ比を得ることを含むことを特徴とする、請求項１１４に記載の方法。
【請求項１１６】
前記還元剤は、Ｈ２Ｓ、ＳＯ２、亜鉛、またはＮａＳＨである、請求項１１４または１１５に記載の方法。
【請求項１１７】
前記貴液から前記卑金属イオンを前記有機溶媒中に抽出する前記工程は、卑金属イオンから試薬を分離させて、前記貴液と比べて、前記ラフィネート中の遊離試薬の量を増加させることを含む、請求項１０５〜１１６のいずれか一項に記載の方法。
【請求項１１８】
前記有機溶媒は、脂肪族溶媒、芳香族溶媒、または、これらの組み合わせである、請求項１０５〜１１７のいずれか一項に記載の方法。
【請求項１１９】
前記有機溶媒は、灯油、アルキル芳香族化合物、シクロパラフィン、または、これらの組み合わせを含む、請求項１１８に記載の方法。
【請求項１２０】
前記卑金属イオンは、カドミウムを含む、請求項１０５〜１１９のいずれか一項に記載の方法。
【請求項１２１】
前記卑金属イオンは、ニッケルを含む、請求項１０５〜１１９のいずれか一項に記載の方法。
【請求項１２２】
前記卑金属イオンは、銅を含む、請求項１０５〜１１９のいずれか一項に記載の方法。
【請求項１２３】
前記卑金属イオン抽出剤は、アルドキシム、ケトキシム、またはこれらの組み合わせである、請求項１２２に記載の方法。
【請求項１２４】
少なくとも１つの卑金属を、前記少なくとも１つの卑金属硫化物を含む材料中の少なくとも１つの卑金属硫化物から回収する方法であって、以下を含む方法：
前記材料を、ホルムアミジンジスルフィド（ＦＤＳ）を含む酸性硫酸塩溶液を含む、浸出剤と接触させて、前記少なくとも１つの卑金属硫化物から卑金属イオンを抽出して、貴液を生成する工程；
前記貴液と、卑金属イオン抽出剤を含む有機溶媒とを混合して、混合物を形成する工程；
前記貴液から卑金属イオンを前記有機溶媒中に抽出する工程；および
前記混合物を、ＦＤＳを含む卑金属イオン減損ラフィネートと、前記有機溶媒と卑金属イオンとを含み、卑金属イオンが豊富な有機相とに分離する工程。
【請求項１２５】
前記酸性硫酸塩溶液は、硫酸第二鉄をさらに含む、請求項１２４に記載の方法。
【請求項１２６】
前記貴液は、卑金属イオンとともに錯体を形成しているチオ尿素（Ｔｕ）をさらに含み、
前記貴液から前記卑金属イオンを抽出する前記工程は、卑金属イオンからＴｕを分離させて、前記貴液と比べて、前記ラフィネート中の遊離Ｔｕの量を増加させることを含む、請求項１２４または１２５に記載の方法。
【請求項１２７】
前記方法は、前記ラフィネートを還元剤に接触させて、ＦＤＳをチオ尿素（Ｔｕ）に還元する工程をさらに含む、請求項１２４、１２５または１２６に記載の方法。
【請求項１２８】
前記ラフィネートを還元剤に接触させてＦＤＳをＴｕに還元する前記工程は、ＦＤＳを還元して約０．５：１〜約９：１の範囲のＴｕ：ＦＤＳ比を得ることを含む、請求項１２７に記載の方法。
【請求項１２９】
前記還元剤は、Ｈ２Ｓ、ＳＯ２、亜鉛、またはＮａＳＨである、請求項１２７または１２８に記載の方法。
【請求項１３０】
前記有機溶媒は、脂肪族溶媒、芳香族溶媒、または、これらの組み合わせである、請求項１２４〜１２９のいずれか一項に記載の方法。
【請求項１３１】
前記有機溶媒は、灯油、アルキル芳香族化合物、シクロパラフィン、または、これらの組み合わせを含む、請求項１３０に記載の方法。
【請求項１３２】
前記卑金属イオンは、カドミウムを含む、請求項１２４〜１３１のいずれか一項に記載の方法。
【請求項１３３】
前記卑金属イオンは、ニッケルを含む、請求項１２４〜１３１のいずれか一項に記載の方法。
【請求項１３４】
前記卑金属イオンは、銅を含む、請求項１２４〜１３１のいずれか一項に記載の方法。
【請求項１３５】
前記卑金属イオン抽出剤は、アルドキシム、ケトキシム、またはこれらの組み合わせである、請求項１３４に記載の方法。
【請求項１３６】
前記浸出剤は、ハロゲン化物イオンを含む、請求項１０５〜１３５のいずれか一項に記載の方法。
【請求項１３７】
前記貴液は、ハロゲン化物イオンを含む、請求項１０５〜１３６のいずれか一項に記載の方法。
【請求項１３８】
前記ハロゲン化物イオンは、塩化物イオン、臭化物イオン、ヨウ化物イオン、またはこれらの組み合わせを含む、請求項１３６または１３７に記載の方法。
【請求項１３９】
ＦＤを含む前記ラフィネートの一部を、前記浸出剤に再循環させる工程をさらに含む、請求項１０５〜１３８のいずれか一項に記載の方法。
【請求項１４０】
溶媒抽出から再循環した前記ラフィネートの前記一部を含む前記浸出剤に、ＦＤＳを有する新しい試薬を追補して、前記浸出剤中のＦＤＳの濃度を所望の濃度にすることを特徴とする、請求項１３９に記載の方法。
【請求項１４１】
前記貴液が、浸出貴液である、請求項７６〜１４０のいずれか一項に記載の方法。
【請求項１４２】
少なくとも１つの卑金属硫化物を含む材料中に封鎖されたチオカルボニル官能基を含む試薬を回収する方法であって、
前記方法は、卑金属イオンを含む洗浄液で前記材料をすすいで、前記試薬を含む貴洗浄液（ＰＷＳ）を生成する工程を含む、方法。
【請求項１４３】
少なくとも１つの卑金属硫化物を含む材料中に封鎖されたチオカルボニル官能基を含む試薬を回収する方法であって、
前記方法は、卑金属イオンを含む洗浄液で前記材料をすすいで、前記試薬を含む貴洗浄液（ＰＷＳ）を生成する工程を含み、
前記試薬が、エチレンチオ尿素（ＥＴｕ）である、方法。
【請求項１４４】
少なくとも１つの卑金属硫化物を含む材料中に封鎖されたチオカルボニル官能基を含む試薬を回収する方法であって、
前記方法は、卑金属イオンを含む洗浄液で前記材料をすすいで、前記試薬を含む貴洗浄液（ＰＷＳ）を生成する工程を含み、
前記試薬が、チオアセトアミド（ＴＡ）である、方法。
【請求項１４５】
少なくとも１つの卑金属硫化物を含む材料中に封鎖されたチオカルボニル官能基を含む試薬を回収する方法であって、
前記方法は、卑金属イオンを含む洗浄液で前記材料をすすいで、前記試薬を含む貴洗浄液（ＰＷＳ）を生成する工程を含み、
前記試薬が、ジメチルジチオカルバミン酸ナトリウム（ＳＤＤＣ）である、方法。
【請求項１４６】
少なくとも１つの卑金属硫化物を含む材料中に封鎖されたチオカルボニル官能基を含む試薬を回収する方法であって、
前記方法は、卑金属イオンを含む洗浄液で前記材料をすすいで、前記試薬を含む貴洗浄液（ＰＷＳ）を生成する工程を含み、
前記試薬が、トリチオ炭酸エチレン（ＥＴＣ）である、方法。
【請求項１４７】
少なくとも１つの卑金属硫化物を含む材料中に封鎖されたチオカルボニル官能基を含む試薬を回収する方法であって、
前記方法は、卑金属イオンを含む洗浄液で前記材料をすすいで、前記試薬を含む貴洗浄液（ＰＷＳ）を生成する工程を含み、
前記試薬が、チオセミカルバジド（ＴＳＣＡ）である、方法。
【請求項１４８】
少なくとも１つの卑金属硫化物を含む材料中に封鎖されたチオカルボニル官能基を含む試薬を回収する方法であって、
前記方法は、卑金属イオンを含む洗浄液で前記材料をすすいで、前記試薬を含む貴洗浄液（ＰＷＳ）を生成する工程を含み、
前記試薬が、チオ尿素（Ｔｕ）、エチレンチオ尿素（ＥＴｕ）、チオアセトアミド（ＴＡ）、ジメチルジチオカルバミン酸ナトリウム（ＳＤＤＣ）、トリチオ炭酸エチレン（ＥＴＣ）、チオセミカルバジド（ＴＳＣＡ）、または、これらの組み合わせである、方法。
【請求項１４９】
少なくとも１つの卑金属硫化物を含む材料中に封鎖されたチオカルボニル官能基を含む試薬を回収する方法であって、
前記方法は、卑金属イオンを含む洗浄液で前記材料をすすいで、前記試薬を含む貴洗浄液（ＰＷＳ）を生成する工程を含み、
前記試薬が、チオ尿素（Ｔｕ）である、方法。
【請求項１５０】
前記ＰＷＳは、ホルムアミジンジスルフィド（ＦＤＳ）をさらに含む、請求項１４８または１４９に記載の方法。
【請求項１５１】
前記方法は、前記ＰＷＳを還元剤に接触させて、ＦＤＳをＴｕに還元する工程をさらに含む、請求項１５０に記載の方法。
【請求項１５２】
前記ＰＷＳを還元剤に接触させてＦＤＳをＴｕに還元する前記工程は、ＦＤＳを還元して約０．５：１〜約９：１の範囲のＴｕ：ＦＤＳ比を得ることを含む、請求項１５１に記載の方法。
【請求項１５３】
前記還元剤は、Ｈ２Ｓ、ＳＯ２、亜鉛、またはＮａＳＨであることを特徴とする、請求項１５１または１５２に記載の方法。
【請求項１５４】
前記方法は、
前記ＰＷＳと、卑金属イオン抽出剤を含有する有機溶媒とを混合して、混合物を形成する工程と、
前記ＰＷＳから前記卑金属イオンを前記有機溶媒中に抽出する工程と、
前記混合物を、前記試薬を含む、卑金属イオン減損溶液と、前記有機溶媒と卑金属イオンとを含み、卑金属イオン豊富な溶液とに分離する工程と
を含むことを特徴とする、請求項１４２〜１５３のいずれか一項に記載の方法。
【請求項１５５】
前記ＰＷＳから前記卑金属イオンを前記有機溶媒中に抽出する前記工程は、卑金属イオンから試薬を分離させて、前記ＰＷＳと比べて、前記卑金属イオン減損溶液中の遊離試薬の量を増加させることを含む、請求項１５４に記載の方法。
【請求項１５６】
前記有機溶媒は、脂肪族溶媒、芳香族溶媒、または、これらの組み合わせである、請求項１５４または１５５に記載の方法。
【請求項１５７】
前記有機溶媒は、灯油、アルキル芳香族化合物、シクロパラフィン、または、これらの組み合わせを含む、請求項１５６に記載の方法。
【請求項１５８】
前記卑金属イオンは、カドミウムを含む、請求項１４２〜１５７のいずれか一項に記載の方法。
【請求項１５９】
前記卑金属イオンは、ニッケルを含む、請求項１４２〜１５８のいずれか一項に記載の方法。
【請求項１６０】
前記卑金属イオンは、銅を含む、請求項１４２〜１５９のいずれか一項に記載の方法。
【請求項１６１】
前記銅イオンは、第二銅イオンを含む、請求項１６０に記載の方法。
【請求項１６２】
前記卑金属イオン抽出剤は、アルドキシム、ケトキシム、またはこれらの組み合わせである、請求項１６０または１６１に記載の方法。
【請求項１６３】
卑金属イオン抽出剤は、エステル改質剤、アルキルフェノール改質剤、またはこれらの組み合わせをさらに含む、請求項１６２に記載の方法。
【請求項１６４】
前記洗浄液中の卑金属イオンの濃度は、少なくとも１００ｐｐｍ、少なくとも４００ｐｐｍ、または少なくとも１０００ｐｐｍであることを特徴とする、請求項１４２〜１６３のいずれか一項に記載の方法。
【請求項１６５】
前記ＰＷＳで前記材料をすすぐ前記工程の前に、酸性溶液で前記材料をすすぐ工程を含むことを特徴とする、請求項１４２〜１６４のいずれか一項に記載の方法。
【請求項１６６】
前記酸性溶液が約１．８のｐＨを有する、請求項１６５に記載の方法。
【請求項１６７】
前記材料が、浸出材料である、請求項１４２〜１６６のいずれか一項に記載の方法。
【請求項１６８】
少なくとも１つの卑金属硫化物を含有する材料から、少なくとも１つの卑金属を回収する方法であって、前記方法は、
請求項１〜２６のいずれか一項に記載した方法によって、少なくとも１つの卑金属硫化物を含む材料中に封鎖されたチオカルボニル官能基を含む試薬を回収する工程と、
回収した前記試薬と、硫酸第二鉄を含有する酸性硫酸塩溶液とを混合して、浸出剤を形成する工程と、
前記材料を前記浸出剤に接触させて、前記少なくとも１つの卑金属硫化物から卑金属イオンを抽出して、卑金属イオンを含む貴液を生成する工程と
を含む、方法。
【請求項１６９】
回収した前記試薬と混合する工程の前に、前記酸性硫酸塩溶液は、チオカルボニル官能基を有する先在試薬、先在ＦＤＳ、または、これらの組み合わせを含むことを特徴とする、請求項１６８に記載の方法。
【請求項１７０】
前記先在試薬のチオカルボニル官能基が、部分的な負の電荷を保持し、負の静電位表面を保持し、かつ最低非占有分子軌道として空のπ＊−反結合性軌道を有する、請求項１６９に記載の方法。
【請求項１７１】
前記先在試薬が、チオアセトアミド（ＴＡ）である、請求項１６９に記載の方法。
【請求項１７２】
前記先在試薬が、ジメチルジチオカルバミン酸ナトリウム（ＳＤＤＣ）である、請求項１６９に記載の方法。
【請求項１７３】
前記先在試薬が、トリチオ炭酸エチレン（ＥＴＣ）である、請求項１６９に記載の方法。
【請求項１７４】
前記先在試薬が、チオセミカルバジド（ＴＳＣＡ）である、請求項１６９に記載の方法。
【請求項１７５】
前記先在試薬が、エチレンチオ尿素（Ｅｔｕ）である、請求項１６９に記載の方法。
【請求項１７６】
前記先在試薬は、チオ尿素（Ｔｕ）、エチレンチオ尿素（Ｅｔｕ）、チオアセトアミド（ＴＡ）、ジメチルジチオカルバミン酸ナトリウム（ＳＤＤＣ）、トリチオ炭酸エチレン（ＥＴＣ）、チオセミカルバジド（ＴＳＣＡ）、または、これらの組み合わせであることを特徴とする、請求項１６９に記載の方法。
【請求項１７７】
前記先在試薬が、チオ尿素（Ｔｕ）である、請求項１６９に記載の方法。
【請求項１７８】
前記貴液と、卑金属イオン抽出剤を含有する有機溶媒とを混合して、混合物を形成する工程と、
前記貴液から卑金属イオンを前記有機溶媒中に抽出する工程と、
前記混合物を、前記試薬を含む、卑金属イオン減損ラフィネートと、前記有機溶媒と卑金属イオンとを含み、卑金属イオンが豊富な溶液とに分離する工程と
をさらに含む、請求項１７６または１７７に記載の方法。
【請求項１７９】
前記貴液から前記卑金属イオンを前記有機溶媒中に抽出する前記工程は、卑金属イオンから試薬を分離させて、前記貴液と比べて、前記ラフィネート中の遊離試薬の量を増加させることを含む、請求項１７８に記載の方法。
【請求項１８０】
前記試薬が、Ｔｕである、請求項１７８または１７９に記載の方法。
【請求項１８１】
前記ラフィネートは、ホルムアミジンジスルフィド（ＦＤＳ）をさらに含む、請求項１８０に記載の方法。
【請求項１８２】
前記方法は、前記ラフィネートを還元剤に接触させて、ＦＤＳをＴｕに還元する工程をさらに含むことを特徴とする、請求項１８１に記載の方法。
【請求項１８３】
前記ラフィネートを還元剤に接触させてＦＤＳをＴｕに還元する前記工程は、ＦＤＳを還元して約０．５：１〜約９：１の範囲のＴｕ：ＦＤＳ比を得ることを含む、請求項１８２に記載の方法。
【請求項１８４】
前記還元剤は、Ｈ２Ｓ、ＳＯ２、Ｚｎ、またはＮａＳＨである、請求項１８２または１８３に記載の方法。
【請求項１８５】
前記有機溶媒は、脂肪族溶媒、芳香族溶媒、または、これらの組み合わせである、請求項１７８〜１８４のいずれか一項に記載の方法。
【請求項１８６】
前記有機溶媒は、灯油、アルキル芳香族化合物、シクロパラフィン、または、これらの組み合わせを含む、請求項１８５に記載の方法。
【請求項１８７】
前記卑金属イオンは、カドミウムを含む、請求項１７８〜１８６のいずれか一項に記載の方法。
【請求項１８８】
前記卑金属イオンは、ニッケルを含む、請求項１７８〜１８７のいずれか一項に記載の方法。
【請求項１８９】
前記卑金属イオンは、銅を含む、請求項１７８〜１８８のいずれか一項に記載の方法。
【請求項１９０】
前記卑金属イオン抽出剤は、アルドキシム、ケトキシム、またはこれらの組み合わせである、請求項１８９に記載の方法。
【請求項１９１】
前記貴液が、浸出貴液である、請求項１６８〜１９０のいずれか一項に記載の方法。